(57)【要約】【課題】  近接センサによる検出状態が正常でないことを自動的に判定して、所定の処理を実行する携帯電話装置を提供する。【解決手段】  近接状態判定部４２は、通話状態において、近接センサ２１による検出レベルと閾値とを比較して、操作面３１ａに物体が近接した状態であるか否かを判定し、時間測定部４４は、着呼に応答して通話状態に遷移した場合に、通話状態に遷移してから物体が近接した状態であると判定されるまでの時間を測定して、測定結果を記憶部１８に格納し、判定用データ生成部４６は、記憶部１８に蓄積された測定結果に基づいて、測定時間の分布を示す判定用データを生成し、検出状態判定部４７は、正常時における測定時間の分布を示す正常時データと判定用データとを比較して、近接センサ２１による検出状態が正常か否かを判定し、通知部４８は、検出状態が正常でないと判定されると、その旨をユーザに通知する。【選択図】      図４
2014053656.tif 000002
【特許請求の範囲】
【請求項１】
タッチ操作される操作面を有するタッチパネルと、
制御部と、
前記タッチパネルの近傍に設置され、前記操作面に向かって接近する物体との距離に応じた検出レベルを示す信号を前記制御部へ出力する近接センサと、
前記検出レベルに関して予め設定された閾値を記憶する記憶部と、
電話通信を行うための通信部とを備え、
前記制御部は、
通話状態において、前記信号に基づく検出レベルと前記閾値とを比較して、前記操作面に物体が近接した状態であるか否かを判定する近接状態判定部と、
着呼に応答して通話状態に遷移した場合に、通話状態に遷移してから前記近接状態判定部によって物体が近接した状態であると判定されるまでの時間を測定し、測定結果を通話ごとに前記記憶部に格納して蓄積させる時間測定部と、
前記記憶部に蓄積された前記測定結果に基づいて、測定時間の分布を示す判定用データを生成する判定用データ生成部と、
前記記憶部に予め格納される、前記近接センサによる検出状態が正常であるときにおける測定時間の分布を示す正常時データと、前記判定用データとを比較して、前記近接センサによる検出状態が正常か否かを判定する検出状態判定部と、
検出状態が正常でないと判定されると、予め定める処理を実行する処理実行部とを有することを特徴とする携帯電話装置。
【請求項２】
前記制御部は、前記記憶部に蓄積された測定結果に基づいて、前記正常時データを生成する正常時データ生成部をさらに有し、
前記正常時データ生成部は、前記記憶部に予め定める個数の測定結果が最初に蓄積されたときに、該予め定める個数の測定結果に基づいて、前記正常時データを生成して前記記憶部に格納し、
前記判定用データ生成部は、前記正常時データが生成された後に、前記記憶部に蓄積された予め定める個数の測定結果に基づいて、前記判定用データを生成することを特徴とする請求項１記載の携帯電話装置。
【請求項３】
タッチ操作される操作面を有するタッチパネルと、
制御部と、
前記タッチパネルの近傍に設置され、前記操作面に向かって接近する物体との距離に応じた検出レベルを示す信号を前記制御部へ出力する近接センサと、
前記近接センサの近傍に設置される照度センサと、
前記検出レベルに関して予め設定された閾値を記憶する記憶部と、
電話通信を行うための通信部とを備え、
前記制御部は、
通話状態において、前記信号に基づく検出レベルと前記閾値とを比較して、前記操作面に物体が近接した状態であるか否かを判定する近接状態判定部と、
着呼に応答して通話状態に遷移した場合に、前記近接状態判定部によって物体が近接した状態であると判定されると、前記照度センサの検出結果に基づいて照度値を取得して、取得した照度値を通話ごとに前記記憶部に格納して蓄積させる照度値取得部と、
前記記憶部に蓄積された照度値に基づいて、照度値の分布を示す判定用データを生成する判定用データ生成部と、
前記記憶部に予め格納される、前記近接センサによる検出状態が正常であるときにおける照度値の分布を示す正常時データと、前記判定用データとを比較して、前記近接センサによる検出状態が正常か否かを判定する検出状態判定部と、
検出状態が正常でないと判定されると、予め定める処理を実行する処理実行部とを有することを特徴とする携帯電話装置。
【請求項４】
前記制御部は、前記記憶部に蓄積された照度値に基づいて、前記正常時データを生成する正常時データ生成部をさらに有し、
前記正常時データ生成部は、前記記憶部に予め定める個数の照度値が最初に蓄積されたときに、該予め定める個数の照度値に基づいて、前記正常時データを生成して前記記憶部に格納し、
前記判定用データ生成部は、前記正常時データが生成された後に、前記記憶部に蓄積された予め定める個数の照度値に基づいて、前記判定用データを生成することを特徴とする請求項３記載の携帯電話装置。
【請求項５】
前記処理実行部は、検出状態が正常でないことを、予め定める通知先に通知することを特徴とする請求項１〜４のいずれか１つに記載の携帯電話装置。
【請求項６】
前記処理実行部は、検出状態が正常でないと判定されると、前記記憶部に格納された予め設定された閾値を補正することを特徴とする請求項１〜４のいずれか１つに記載の携帯電話装置。
【請求項７】
コンピュータを、請求項１〜６のいずれか１つに記載の携帯電話装置における制御部として機能させるためのプログラム。
【請求項８】
請求項７に記載のプログラムを記録したコンピュータ読取可能な記録媒体。
【発明の詳細な説明】
【技術分野】
【０００１】
本発明は、携帯電話装置、プログラムおよび記録媒体に関する。
【背景技術】
【０００２】
近年、スマートフォンなどの携帯電話装置には、画像を表示するための表示部を構成する液晶パネルと、その液晶パネルに重畳して設けられ、画面が映し出される操作面への指やスタイラスによるタッチ操作を検出するタッチセンサとを備えるタッチパネルが、入力装置として搭載されている。
【０００３】
また、最近では、ユーザの顔が操作面へ近接している状態（以下、「近接状態」と称する）であるか、または近接状態ではない状態（以下、「非近接状態」と称する）であるかを検出するための近接センサが、操作面の近傍に設けられた携帯電話装置が普及している。
【０００４】
このような近接センサを有する携帯電話装置では、近接センサによる検出結果に基づいて、通話中に非近接状態から近接状態へ遷移したことが認識されると、操作面へのタッチ操作を無効にする機能が搭載されている。この機能により、通話を行うためにユーザが受話口および送話口の近くまで顔を接近させたときに、ユーザの顔が操作面に触れることに起因する誤動作を防止している。
【０００５】
また、近接センサを有する携帯電話装置では、タッチ操作を無効にする機能だけでなく、通話中に非近接状態から近接状態へ遷移したことが認識されると、画面表示のために液晶パネルに向けて光を出射するバックライトを消灯させる機能も搭載されている。通話中であれば、ユーザは画面を視認する必要性が殆どないことから、このバックライトを消灯させる機能により、バックライトの無駄な点灯をなくすことで、消費電力を低減させている（たとえば、特許文献１参照）。
【０００６】
従来から、携帯電話装置に搭載される近接センサとしては、小形でかつ低消費電力であるという理由から、赤外光方式の近接センサが用いられている。この赤外光方式の近接センサは、赤外光を発光する発光素子と、発光素子から出射された赤外光が検知物に当たり、その検知物から反射して戻ってきた反射光を受光するための受光素子とを備えて構成されるものであり、携帯電話装置において、近接状態であるか否かを判定する場合には、受光素子による反射光の受光レベルと、携帯電話装置に内蔵のメモリに予め書き込まれた閾値とを比較することで、判定が行われている。
【０００７】
この閾値は、非近接状態から近接状態へ遷移したと認識されるときの操作面と顔との距離（以下、「検知距離」と称する）を規定する重要な数値であり、内蔵のメモリには、検知距離が最適な距離となるように予め設定された閾値が、ユーザにより自由に書換え出来ないデータとして書き込まれている。
【０００８】
この閾値を設定する際には、発光素子から出射された赤外光が携帯電話装置の筐体内において散乱および反射することで、近接状態・非近接状態のいかんにかかわらず受光素子において常時検出されるある一定の受光レベル（以下、「オフセット値」と称する）が考慮されて設定されている。
【０００９】
このため、製品として出荷された後に、ユーザが携帯端末装置を地面に落下させるなどして、携帯端末装置の筐体が変形してしまったり、近接センサが出荷時の設置位置からずれてしまったりすると、それに応じてオフセット値が変動してしまい、換言すれば検知距離が変動してしまい、最悪の場合には、タッチ操作の無効化やバックライトの消灯といった機能が、有効に作動しなくなってしまうというおそれがある。しかしながら、従来の携帯端末装置では、このような懸念に対して、何らの対策も採られていないという問題がある。
【先行技術文献】
【特許文献】
【００１０】
【特許文献１】特開２０１２−１５００２２号公報
【発明の概要】
【発明が解決しようとする課題】
【００１１】
本発明の目的は、通話状態におけるタッチパネルの動作を制御するために近接センサが設けられている携帯電話装置において、近接センサによる検出状態が正常でないことを自動的に判定し、検出状態を正常な状態に復帰させるための所定の処理を実行する携帯電話装置、プログラムおよび記録媒体を提供する。
【課題を解決するための手段】
【００１２】
本発明は、タッチ操作される操作面を有するタッチパネルと、
制御部と、
前記タッチパネルの近傍に設置され、前記操作面に向かって接近する物体との距離に応じた検出レベルを示す信号を前記制御部へ出力する近接センサと、
前記検出レベルに関して予め設定された閾値を記憶する記憶部と、
電話通信を行うための通信部とを備え、
前記制御部は、
通話状態において、前記信号に基づく検出レベルと前記閾値とを比較して、前記操作面に物体が近接した状態であるか否かを判定する近接状態判定部と、
着呼に応答して通話状態に遷移した場合に、通話状態に遷移してから前記近接状態判定部によって物体が近接した状態であると判定されるまでの時間を測定し、測定結果を前記記憶部に格納する時間測定部と、
前記記憶部に蓄積された前記測定結果に基づいて、測定時間の分布を示す判定用データを生成する判定用データ生成部と、
前記記憶部に予め格納される、前記近接センサによる検出状態が正常時における測定時間の分布を示す正常時データと、前記判定用データとを比較して、前記近接センサによる検出状態が正常か否かを判定する検出状態判定部と、
検出状態が正常でないと判定されると、予め定める処理を実行する処理実行部とを有することを特徴とする携帯電話装置である。
【００１３】
また本発明は、前記制御部は、前記記憶部に蓄積された測定結果に基づいて、前記正常時データを生成する正常時データ生成部をさらに有し、
前記正常時データ生成部は、前記記憶部に最初に蓄積された予め定める個数の測定結果に基づいて、前記正常時データを生成して前記記憶部に格納し、
前記判定用データ生成部は、前記正常時データが生成された後に、前記記憶部に蓄積された予め定める個数の測定結果に基づいて、前記判定用データを生成することを特徴とする。
【００１４】
また本発明は、タッチ操作される操作面を有するタッチパネルと、
制御部と、
前記タッチパネルの近傍に設置され、前記操作面に向かって接近する物体との距離に応じた検出レベルを示す信号を前記制御部へ出力する近接センサと、
前記近接センサの近傍に設置される照度センサと、
前記検出レベルに関して予め設定された閾値を記憶する記憶部と、
電話通信を行うための通信部とを備え、
前記制御部は、
通話状態において、前記信号に基づく検出レベルと前記閾値とを比較して、前記操作面に物体が近接した状態であるか否かを判定する近接状態判定部と、
着呼に応答して通話状態に遷移した場合に、前記近接状態判定部によって物体が近接した状態であると判定されると、前記照度センサの検出結果に基づいて照度値を取得して、取得した照度値を前記記憶部に格納する照度値取得部と、
前記記憶部に蓄積された照度値に基づいて、照度値の分布を示す判定用データを生成する判定用データ生成部と、
前記記憶部に予め格納される、前記近接センサによる検出状態が正常時における照度値の分布を示す正常時データと、前記判定用データとを比較して、前記近接センサによる検出状態が正常か否かを判定する検出状態判定部と、
検出状態が正常でないと判定されると、予め定める処理を実行する処理実行部とを有することを特徴とする携帯電話装置である。
【００１５】
また本発明は、前記制御部は、前記記憶部に蓄積された照度値に基づいて、前記正常時データを生成する正常時データ生成部をさらに有し、
前記正常時データ生成部は、前記記憶部に最初に蓄積された予め定める個数の照度値に基づいて、前記正常時データを生成して前記記憶部に格納し、
前記判定用データ生成部は、前記正常時データが生成された後に、前記記憶部に蓄積された予め定める個数の照度値に基づいて、前記判定用データを生成することを特徴とする。
【００１６】
また本発明は、前記処理実行部は、検出状態が正常でないことを、予め定める通知先に通知することを特徴とする。
また本発明は、前記処理実行部は、検出状態が正常でないと判定されると、前記記憶部に格納された予め設定された閾値を補正することを特徴とする。
【００１７】
また本発明は、コンピュータを、前記携帯電話装置における制御部として機能させるためのプログラムである。
また本発明は、前記プログラムを記録したコンピュータ読取可能な記録媒体である。
【発明の効果】
【００１８】
本発明によれば、近接センサによる検出状態が正常でないことが携帯電話装置において自動的に判定され、近接センサによる検出状態が正常でない旨の情報が、その携帯電話装置のユーザや、修理従事者などのサービス部門へ通知される。ユーザに通知された場合には、そのユーザは、修理従事者などのサービス部門へ修理を依頼することで、近接センサによる検出状態を正常な状態に復帰させることができる。また修理従事者などのサービス部門へ通知された場合には、その修理従事者から当該携帯電話装置のユーザに対して携帯電話装置を修理すべきことが伝えられ、ユーザが修理を依頼することで、近接センサによる検出状態を正常な状態に復帰させることができる。
あるいは、本発明によれば、近接センサによる検出状態が正常でないことが携帯電話装置において自動的に判定されると、近接センサによる検出レベルに基づいて近接状態か否かを判定する際に用いられる閾値を自動的に補正する処理が実行される。したがって、ユーザの手を煩わせることなく、近接センサによる検出状態を正常な状態に復帰させることができる。
【図面の簡単な説明】
【００１９】
【図１】本発明の一実施形態に係る携帯電話装置１０の外観を示す平面図である。
【図２】図１における切断面線ＩＩ−ＩＩから見た断面図である。
【図３】本発明の一実施形態に係る携帯電話装置１０の概略的な構成を示すブロック図である。
【図４】制御部１９が通話時制御プログラム３６を実行することによって実現される各種の機能を示す機能ブロック図である。
【図５】正常時データＤ１と異常時の判定用データＤ２の一例を示すグラフである。
【図６】制御部１９が通話時制御プログラム３６を実行することによって行われる異常状態検出処理の処理手順を示すフローチャートである。
【図７】補正部が設けられた他の実施形態に係る携帯電話装置１０において、該補正部によって行われる閾値自動補正処理の処理手順を示すフローチャートである。
【発明を実施するための形態】
【００２０】
図１は、本発明の一実施形態に係る携帯電話装置１０の外観を示す平面図である。本実施形態に係る携帯電話装置１０は、いわゆるスマートフォンとして構成された携帯電話装置であり、図１に示すように、厚み方向Ｚにおける一方の主面部である正面部１０ａには、タッチパネル１１と、それぞれ所定の機能が割り当てられた３つの操作キー１２ａと、受話口１３と、送話口１４と、照度センサ一体型近接センサ１５とが設けられている。
【００２１】
タッチパネル１１は、画面が映し出される操作面３１ａを有し、操作面３１ａが外部に露出するように、筐体２０内に収容されている。なお、本実施形態では、携帯電話装置１０は、スマートフォンによって実現されているが、他の実施形態では、フィーチャーフォンによって実現されてもよい。
【００２２】
図２は、図１における切断面線ＩＩ−ＩＩから見た断面図である。照度センサ一体型近接センサ１５は、携帯電話装置１０における正面部１０ａの上部であって、受話口１３および操作面３１ａの近傍に設けられている。この照度センサ一体型近接センサ１５は、赤外光方式の近接センサ２１と、照度センサ２４とを有し、これらを一体化することによって構成されている。
【００２３】
赤外光方式の近接センサ２１は、赤外光を発光する発光素子２２と、発光素子２２から出射された赤外光が検知物Ｄに当たり、その検知物Ｄから反射して戻ってきた反射光を受光するための受光素子２３とを備えて構成されている。受光素子２３は、受光レベルに応じた電気信号を、後述の制御部１９へ出力する。
【００２４】
また、明るさセンサとも称される照度センサ２４は、たとえば分光感度が互いに異なる複数のフォトダイオードを搭載することによって、人間の目の視感度に近い分光感度特性を有するように構成されている。すなわち、照度センサ２４は、人間の目で感じる明るさを検出できるように構成されている。照度センサ２４は、受光レベルに応じた電気信号を、後述の制御部１９へ出力する。
【００２５】
照度センサ一体型近接センサ１５は、上記のような近接センサ２１および照度センサ２４を基板２５上に実装し、各センサ２１，２４を、透明樹脂２６ａおよび遮光樹脂２６ｂから成る封止部２６で封止することによって構成されている。そして、図２に示すように、正面部１０ａに設けられた、ガラスまたはアクリルなどの材料から成る赤外光透過率の高いパネル２７の背面側に、発光素子２２の発光面、ならびに受光素子２３および照度センサ２４の受光面がそれぞれ、パネル２７に臨むような姿勢で設置されている。
【００２６】
図３は、本発明の一実施形態に係る携帯電話装置１０の概略的な構成を示すブロック図である。図３に示すように、携帯電話装置１０は、タッチパネル１１と、キー操作部１２と、受話口１３に設けられるスピーカ１３ａと、送話口１４に設けられるマイクロホン１４ａと、照度センサ一体型近接センサ１５と、通信部１６と、音声処理部１７と、記憶部１８と、制御部１９とを含んで構成される。
【００２７】
タッチパネル１１は、操作面３１ａに画像を表示可能に構成される表示部３１と、表示部３１に重畳されたタッチセンサ３２とを有する。
【００２８】
表示部３１は、液晶パネルおよび液晶パネルの背面側に設けられたバックライトを含んで構成され、制御部１９から与えられる画像データに応じた画像を操作面３１ａに表示させる。
【００２９】
タッチセンサ３２は、ユーザが指やスタイラスなどを用いて、操作面３１ａに対して行った各種のタッチ操作を、タッチ操作が行われた操作面３１ａ上での位置とともに検出する座標入力装置である。タッチセンサ３２としては、たとえば投影型静電容量方式のものが用いられる。
【００３０】
このタッチセンサ３２によって検出されるタッチ操作には、たとえばタップ操作、フリック操作、ドラッグ操作、ピンチイン操作およびピンチアウト操作などが含まれる。タッチセンサ３２による検出信号は、制御部１９へ与えられる。
【００３１】
キー操作部１２は、携帯電話装置１０の正面部１０ａに設けられる３つの操作キー１２ａの他に、携帯電話装置１０の側面部に設けられる図示しない各種の操作キーを有し、ユーザによって任意の操作キーが押圧操作されると、当該操作キーが操作されたことを示す信号を、制御部１９へ与える。
【００３２】
通信部１６は、通信用アンテナおよび通信制御部を備え、移動体通信のセルラーネットワークの基地局との間でＣＤＭＡ（Code Division Multiple Access）等の方式による無線信号回線を確立し、基地局との間で電話通信およびデータ通信を行う。
【００３３】
たとえば、携帯電話装置１０が音声通話用に使用される場合には、マイクロホン１４ａから入力された音声が、音声処理部１７によってデジタル信号に変換され、該デジタル信号が通信部１６の通信制御部を経て、通信用アンテナから電波信号として公衆ネットワークに送信される。逆に、音声通話の相手先から電波信号として公衆ネットワークに送信された音声データは、通信部１６の通信用アンテナで受信され、通信制御部を経ることによりデジタル信号に変換され、さらに音声処理部１７でアナログ電気信号に変換されて、最終的にスピーカ１３ａから音声として出力される。
【００３４】
記憶部１８は、制御部１９での処理に利用されるソフトウェアやデータを保存する記憶装置であり、携帯電話装置１０に電源が供給されている間のみデータ保持が可能なＳＲＡＭ（Static Random Access Memory）およびＤＲＡＭ（Dynamic Random Access Memory）、ならびに、携帯電話装置１０への電源供給が遮断された状態でも記録したデータを保持し続けることが可能なフラッシュメモリおよびＥＥＰＲＯＭ（Electrically Erasable Programmable Read Only Memory）（登録商標）などによって実現される。
【００３５】
この記憶部１８には、携帯電話装置１０の基本的な機能を実現するオペレーティングシステムプログラムのほか、たとえばメールアプリケーション（電子メール機能）を実現するためのメールプログラム３３、ブラウザアプリケーション（ＷＥＢブラウジング機能）を実現するためのブラウザプログラム３４、電話帳アプリケーション（電話帳機能）を実現するための電話帳プログラム３５などが記憶されている。
【００３６】
また本実施形態に係る携帯電話装置１０では、この記憶部１８には、近接センサ２１による検出結果に基づいて、通話中におけるタッチパネル１１の動作を制御する機能を実現するための通話時制御プログラム３６、および通話時制御プログラム３６を実行する際に用いられるデータおよび各種処理条件などを含む処理条件データ３７が、さらに記憶されている。
【００３７】
制御部１９は、携帯電話装置１０の全体的な動作を統括的に制御する処理部であり、たとえばＣＰＵ（Central Processing Unit）によって実現される。制御部１９は、操作面３１ａに対するタッチ操作、各種の操作キーに対する押圧操作、ならびに記憶部１８に記憶される各種のプログラムに応じて、各種の機能が適切に実現されるように、表示部３１や通信部１６などの各部を制御する。
【００３８】
図４は、制御部１９が通話時制御プログラム３６を実行することによって実現される各種の機能を示す機能ブロック図である。制御部１９は、記憶部１８に記憶される通話時制御プログラム３６を実行することによって、発光制御部４１、近接状態判定部４２、タッチパネル制御部４３、時間測定部４４、正常時データ生成部４５、判定用データ生成部４６、検出状態判定部４７、および通知部４８として機能する。
【００３９】
発光制御部４１は、発光素子２２を制御して、赤外光を発光させる。たとえば、発光制御部４１は、発呼時または着呼時に、ユーザにより通話ボタンが操作されることによって非通話状態から通話状態に遷移すると、発光素子２２に制御信号を与えて、赤外光の発光を開始させ、通話状態において、ユーザにより終了ボタンが操作されることによって通話状態から非通話状態に遷移すると、発光素子２２による赤外光の発光を終了させる。
【００４０】
近接状態判定部４２は、受光素子２３から出力される電気信号を監視し、受光素子２３による反射光の受光レベルが、予め設定された閾値を超えると、パネル２７と検知物Ｄとの距離が、前記閾値に基づいて規定される検知距離Ｌよりも短い状態、すなわち検知物Ｄが近接状態であると判定する。この予め設定された閾値のデータは、たとえばユーザによって自由に書換え出来ないデータとして、記憶部１８に予め記憶されている。
【００４１】
タッチパネル制御部４３は、近接状態判定部４２によって検知物Ｄが近接状態であると判定されると、タッチパネル１１の動作を制御する。具体的には、通話状態において、検知物Ｄが近接状態であると判定されると、操作面３１ａに対するタッチ操作を無効化するとともに、表示部３１におけるバックライトを消灯させる。
【００４２】
これにより、通話状態において、ユーザが、耳および口を受話口１３および送話口１４へ近づけるために、顔を操作面３１ａに近づけたとしても、頬が操作面３１ａへ接触してしまうことによる誤動作を防止することが可能となり、また、不要な電力の消費を削減することもできる。
【００４３】
時間測定部４４は、着呼時に、非通話状態から通話状態に遷移した時刻から、近接状態判定部４２によって検知物Ｄが近接状態であると判定された時刻までの時間を、図示しないタイマから得られる時刻情報に基づいて測定し、測定結果を記憶部１８に格納する。
【００４４】
正常時データ生成部４５は、携帯電話装置１０の出荷時から記憶部１８に蓄積された測定結果の個数が、予め設定された第１の個数に到達すると、正常時における測定時間の分布を示す正常時データ（たとえばヒストグラム）を生成し、記憶部１８へ格納する。
【００４５】
なお、正常時データを生成する際には、測定時間が、他の測定結果における測定時間に対して明らかに逸脱している測定結果を排除して生成するのが好ましい。たとえば、測定時間の平均値±２σの範囲から外れている測定結果を排除するのが好ましい。前記予め設定された第１の個数を示すデータは、記憶部１８に予め記憶されている。
【００４６】
判定用データ生成部４６は、正常時データ生成部４５によって正常時データが生成された直後から記憶部１８に蓄積された測定結果の個数が、予め設定された第２の個数に到達すると、その第２の個数の測定結果に基づいて、測定時間の分布を示す判定用データを生成する。
【００４７】
なお、この場合においても前記と同様に、測定時間が、他の測定結果における測定時間に対して明らかに逸脱している測定結果を排除して判定用データ生成するのが好ましい。前記予め設定された第２の個数を示すデータは、記憶部１８に予め記憶されている。
【００４８】
検出状態判定部４７は、判定用データ生成部４６によって判定用データが生成されると、記憶部１８に格納されている正常時データを取得し、取得した正常時データと、判定用データ生成部４６によって生成された判定用データとを比較して、近接センサ２１による検出結果が正常であるか否かを判定する。
【００４９】
図５は、正常時データＤ１と異常時の判定用データＤ２の一例を示すグラフである。図５において、横軸は測定時間を示し、縦軸は測定結果の個数に相当する度数を示している。図５に示すように、判定用データＤ２の度数分布が、正常時データＤ１の度数分布から大きく変化するものである場合には、近接センサ２１による検出結果が異常と判定される。検出状態判定部４７は、このような比較の結果、近接センサ２１による検出結果が正常であると判定すると、正常時データが生成された直後から記憶部１８に蓄積された前記第２の個数の測定結果を、記憶部１８から削除する。
【００５０】
なお、近接センサ２１による検出結果が正常であるか否かを判定する方法としては、たとえばｔ検定が使用され、正常時データと判定用データとを比較し、ｐ値がある値（たとえばｐ＝０．０５）以下のとき有意差があると判定する。
【００５１】
通知部４８は、検出状態判定部４７によって検出結果が正常でないと判定されると、通信部１６を制御して、近接センサ２１による検出結果が正常でない旨を、たとえば修理従事者などのサービス部門へ通知する。また、通知部４８は、表示部３１に、近接センサ２１による検出結果が正常でない旨を示す文字情報を表示させることによって、当該携帯電話装置１０の所有者に通知してもよい。
【００５２】
図６は、制御部１９が通話時制御プログラム３６を実行することによって行われる異常状態検出処理の処理手順を示すフローチャートである。携帯電話装置１０の出荷後、ユーザによって使用が開始されると、ステップｓ１に進む。
【００５３】
ステップｓ１で、時間測定部４４は、着呼があったか否かを判定し、着呼があればステップｓ２に進む。ステップｓ２で、時間測定部４４は、ユーザが通話ボタンを操作することにより、非通話状態から通話状態に遷移したか否かを判定し、通話状態に遷移すればステップｓ３に進む。
【００５４】
ステップｓ３で、発光制御部４１は、発光素子２２に制御信号を与えて、赤外光の発光を開始させ、ステップｓ４に進む。ステップｓ４で、時間測定部４４は、非通話状態から通話状態に遷移した時刻からの時間の測定を開始し、ステップｓ５に進む。
【００５５】
ステップｓ５で、近接状態判定部４２は、受光素子２３による反射光の受光レベルが、予め設定された閾値を超えたか否かを判定し、受光レベルが予め設定された閾値を超えればステップｓ６に進む。
【００５６】
ステップｓ６で、時間測定部４４は、非通話状態から通話状態に遷移した時刻から、近接状態判定部４２によって検知物Ｄが近接状態であると判定された時刻までの時間を取得し、ステップｓ７に進む。
【００５７】
ステップｓ７で、時間測定部４４は、正常時データ生成部４５によって正常時データが生成されているか否かを判定し、正常時データが生成されていない場合には、ステップｓ８に進み、正常時データが生成されている場合には、ステップｓ１１に進む。
【００５８】
ステップｓ８で、時間測定部４４は、測定結果を、記憶部１８における第１の記憶領域に格納し、ステップｓ９に進む。ステップｓ９で、正常時データ生成部４５は、第１の記憶領域に格納されている測定結果の個数が、予め設定された第１の個数に到達したか否かを判定し、到達していない場合にはステップｓ１に戻り、到達した場合にはステップｓ１０に進む。
【００５９】
ステップｓ１０で、正常時データ生成部４５は、第１の記憶領域に格納されている第１の個数の測定結果に基づいて、正常時における測定時間の分布を示す正常時データを生成し、記憶部１８へ格納して、ステップｓ１に戻る。
【００６０】
ステップｓ１１で、時間測定部４４は、測定結果を、記憶部１８における第２の記憶領域に格納し、ステップｓ１２に進む。ステップｓ１２で、判定用データ生成部４６は、第２の記憶領域に格納されている測定結果の個数が、予め設定された第２の個数に到達したか否かを判定し、到達していない場合にはステップｓ１に戻り、到達した場合にはステップｓ１３に進む。
【００６１】
ステップｓ１３で、判定用データ生成部４６は、第２の記憶領域に格納されている第２の個数の測定結果に基づいて、測定時間の分布を示す判定用データを生成し、ステップｓ１４に進む。
【００６２】
ステップｓ１４で、検出状態判定部４７は、記憶部１８に格納されている正常時データと、判定用データ生成部４６によって生成された判定用データとを比較して、近接センサ２１による検出結果が正常であるか否かを判定し、正常である場合にはステップｓ１５に進み、正常でない場合にはステップｓ１６に進む。
【００６３】
ステップｓ１５で、検出状態判定部４７は、第２の記憶領域に格納されている測定結果を全て記憶部１８から削除し、ステップｓ１に戻る。ステップｓ１６で、通知部４８は、通信部１６を制御して、近接センサ２１による検出結果が正常でない旨を、修理従事者などのサービス部門へ通知し、異常状態検出処理を終了する。または、通知部４８は、表示部３１を制御して、近接センサ２１による検出結果が正常でない旨を示す文字情報を表示させ、異常状態検出処理を終了する。
【００６４】
以上のように、本実施形態によれば、近接センサによる検出状態が正常でないことが携帯電話装置において自動的に判定され、近接センサによる検出状態が正常でない旨の情報が、その携帯電話装置のユーザや、修理従事者などのサービス部門へ通知される。
【００６５】
ユーザに通知された場合には、そのユーザは、修理従事者などのサービス部門へ修理を依頼することで、近接センサによる検出状態を正常な状態に復帰させることができる。また修理従事者などのサービス部門へ通知された場合には、その修理従事者から当該携帯電話装置のユーザに対して携帯電話装置を修理すべきことが伝えられ、ユーザが修理を依頼することで、近接センサによる検出状態を正常な状態に復帰させることができる。
【００６６】
上記の実施形態では、着呼時に、非通話状態から通話状態に遷移すると、非通話状態から通話状態に遷移した時刻から、近接状態判定部４２によって検知物Ｄが近接状態であると判定された時刻までの時間をサンプリングするように構成されているが、他の実施形態では、着呼時に、非通話状態から通話状態に遷移すると、近接状態判定部４２によって検知物Ｄが近接した状態であると判定された時点での照度センサ２４の受光レベルにより算出される照度値をサンプリングするように構成されてもよい。
【００６７】
この場合においても、上記の実施形態と同様に、出荷時から記憶部１８に蓄積された、予め設定された第１の個数の照度値に基づいて、正常時における照度値の分布を示す正常時データを生成し、また、正常時データが生成された直後から記憶部１８に蓄積された、予め設定された第２の個数の照度値に基づいて、判定用データを生成し、正常値データと判定用データとを比較することによって、近接センサ２１による検出結果が正常であるか否かが判定される。
【００６８】
このように、携帯電話装置１０に近接センサ２１に近接して照度センサ２４が搭載されている場合には、上記の実施形態における測定時間に替えて、照度センサ２４により検出された照度値を利用することも可能である。この場合であっても、上記の実施形態と同様の効果が得られる。
【００６９】
上記の実施形態では、記憶部１８における第２の記憶領域に格納されている測定結果の個数が、予め設定された第２の個数に到達したことをトリガとして、正常時データと判定用データとの比較が行われるように構成されているが、他の実施形態として、携帯電話装置１０に温度センサが内蔵されている場合には、温度センサにより急激な温度変化が検出されたことをトリガとしてもよく、真冬日、猛暑日、夏に車内に放置されたことをトリガとしてもよい。また、携帯電話装置１０に加速度センサが内蔵されている場合には、加速度センサからの検出信号に基づいて、一定時間以上の振動、衝突、落下が検出されたことをトリガとしてもよい。
【００７０】
また、近接センサ２１を構成する発光素子２２および受光素子２３には温度依存性があるので、予め補正用の温度パラメータを測定して記憶部１８に格納しておき、携帯電話装置１０に内蔵された温度センサによる測定温度に対応した補正値を読み出して、受光素子２３によって検出された受光レベルを補正したうえで、検知物Ｄが近接状態であるか否かを判定するように構成されてもよい。
【００７１】
上記の実施形態では、検出状態判定部４７によって、近接センサ２１による検出状態が正常でないと判定されると、通知部４８が、検出結果が正常でない旨を通知するように構成されているが、他の実施形態では、近接センサ２１による検出状態が正常でないと判定された場合に、記憶部１８に記憶される閾値を自動的に補正する処理を実行する補正部が、通知部４８に替えて設けられてもよい。
【００７２】
図７は、前記補正部が設けられた他の実施形態に係る携帯電話装置１０において、該補正部によって行われる閾値自動補正処理の処理手順を示すフローチャートである。検出状態判定部４７によって、近接センサ２１による検出状態が正常でないと判定されると、処理が開始されて、ステップｓ２１に進む。
【００７３】
ステップｓ２１で、補正部は、図示しないタイマから得られる時刻情報に基づいて、現在の時刻が、日中に相当する時刻、すなわち、日が昇っている間の時刻であるか否かを判定し、日中に相当する時刻であればステップｓ２２に進む。
【００７４】
ステップｓ２２で、補正部は、携帯電話装置１０の現在位置を示す位置情報を取得し、ステップｓ２３に進む。具体的には、携帯電話装置１０に搭載されている、ＧＰＳ（Global Positioning System）信号受信アンテナを備えるＧＰＳユニット（図示せず）から、ＧＰＳ信号受信アンテナによって受信されたＧＰＳ信号に基づいて算出された位置情報を取得する。なお、この位置情報には、ＧＰＳ信号の受信時において携帯電話装置１０が位置している場所の緯度・経度・高度などの情報が含まれる。
【００７５】
ステップｓ２３で、補正部は、通信部４８を制御して、インターネットを介して、ステップｓ２２で取得された位置情報が示す位置の、ステップｓ２１で取得した時刻における天気を示す天気情報を取得し、ステップｓ２４に進む。
【００７６】
ステップｓ２４で、補正部は、ステップｓ２３で取得した天気情報が示す天気が快晴であるか否かを判定し、快晴である場合にはステップｓ２５に進み、快晴以外である場合にはステップｓ２１に戻る。ステップｓ２５で、補正部は、ステップｓ２１で取得した時刻から予め定める時間（たとえば１時間）が経過したか否かを判定し、経過した場合にはステップｓ２１に戻る。ステップｓ２６で、補正部は、照度センサ２４から出力される電気信号に基づく照度値の測定を開始し、ステップｓ２７に進む。
【００７７】
ステップｓ２７で、補正部は、測定された照度値が、太陽光下での明るさに相当する照度値であるか否かを判定し、太陽光下での明るさである場合にはステップｓ２９に進み、太陽光下での明るさでない場合には、ステップｓ２８に進む。快晴時における太陽光下での明るさに相当する照度値は、およそ１０万ルクスであるため、ステップｓ２７では、補正部は、測定された照度値が１０万ルクス程度であると判定すると、ステップｓ２９に進む。このステップｓ２７において、測定された照度値が１０万ルクス程度であると判定されると、携帯電話装置１０の周囲に、照度センサ一体型近接センサ１５へ向けて赤外光を放射する光源が存在していない状態であると判断することができる。
【００７８】
ステップｓ２８で、補正部は、照度値の測定を開始した時刻から予め定める時間（たとえば１５分）が経過したか否かを判定し、経過していない場合にはステップｓ２７に戻り、経過した場合にはステップｓ２１に戻る。ステップｓ２９で、補正部は、発光素子２２に制御信号を与えて、赤外光の発光を開始させ、ステップｓ３０に進む。
【００７９】
ステップｓ３０で、補正部は、受光素子２３によって測定された受光レベルを補正してオフセット値を算出し、算出したオフセット値を記憶部１８に格納して、ステップｓ３１に進む。ここで、記憶部１８には、快晴時の太陽光下において照度センサ２４によって測定される照度値と、そのときに近接センサ２１の受光素子２３によって測定される受光レベルとの関係を示すテーブルが予め格納されており、補正部は、このテーブルを参照して、受光素子２３によって測定された受光レベルから、ステップｓ２７で測定された照度値に対応する受光レベルを減算することで、オフセット値を算出する。
【００８０】
ステップｓ３１で、補正部は、記憶部１８に格納したオフセット値に、予め設定された受光レベルを加算することによって新規の閾値を算出し、算出した閾値を記憶部１８に格納して、閾値自動補正処理を終了する。ここで、予め設定された受光レベルとは、パネル２７と検知物Ｄとの距離が検知距離Ｌである場合に、発光素子２２から出射された赤外光が検知物Ｄに当たり、その検知物Ｄから反射して戻ってきた反射光を受光レベル（オフセット値が含まれていない受光レベル）のことであり、この予め設定された受光レベルは、記憶部１８に予め格納されている。
【００８１】
このようにして、閾値自動補正処理が終了すると、以降は、新たに記憶部１８に格納された閾値を用いて、近接状態判定部４２により、近接状態であるか否かが判定される。これにより、ユーザの手を煩わせることなく、近接センサ２１による検出状態を自動的に正常な状態に復帰させることができる。
【００８２】
上述した実施形態では、通話時制御プログラム３６は、フラッシュメモリなどによって実現される記憶部１８に記憶されているが、半導体メモリおよびハードディスクなどの記憶装置に限定されるものではなく、コンピュータで読取り可能な記録媒体に記録されていてもよい。記録媒体は、たとえば図示しない外部記憶装置としてプログラム読取装置を設け、そこに記録媒体を挿入することによって読取り可能な記録媒体であってもよいし、または他の装置の記憶装置であってもよい。
【００８３】
いずれの記録媒体であっても、記録媒体に記憶されているプログラムがコンピュータからアクセスされて実行される構成であればよい。すなわち、いずれの記録媒体であっても、記録媒体からプログラムが読み出され、読み出されたプログラムが、記憶装置のプログラム記憶エリアに記憶されて、そのプログラムが実行される構成であればよい。さらに通信ネットワークを介して他の装置からダウンロードされてプログラム記憶エリアに記憶させてもよい。ダウンロード用のプログラムは、予めコンピュータの記憶装置に記憶しておくか、または別な記録媒体からプログラム記憶エリアにインストールしておく。
【００８４】
本体と分離可能に構成される記録媒体は、たとえば磁気テープ／カセットテープなどのテープ系の記録媒体、フロッピー（登録商標）ディスクなどの磁気ディスクのディスク系の記録媒体、フレキシブルディスク／ハードディスクなどの磁気ディスクもしくはＣＤ−ＲＯＭ（Compact Disk Read Only Memory）／ＭＯ（Magneto Optical disk）／ＭＤ（Mini Disk）／ＤＶＤ（Digital Versatile Disk）などの光ディスクのディスク系の記録媒体、ＩＣ（Integrated Circuit）カード（メモリカードを含む）／光カードなどのカード系の記録媒体、またはマスクＲＯＭ／ＥＰＲＯＭ（Erasable Programmable Read Only Memory）／ＥＥＰＲＯＭ（Electrically Erasable Programmable Read Only Memory）／フラッシュＲＯＭなどの半導体メモリを含む固定的にプログラムを担持する記録媒体であってもよい。
【符号の説明】
【００８５】
１０  携帯電話装置
１１  タッチパネル
１８  記憶部
１９  制御部
２１  近接センサ
２４  照度センサ
４１  発光制御部
４２  近接状態判定部
４３  タッチパネル制御部
４４  時間測定部
４５  製常時データ生成部
４６  判定用データ生成部
４７  検出状態判定部
４８  通知部
【図１】
2014053656.tif 000003
【図２】
2014053656.tif 000004
【図３】
2014053656.tif 000005
【図４】
2014053656.tif 000006
【図５】
2014053656.tif 000007
【図６】
2014053656.tif 000008
【図７】
2014053656.tif 000009